(57)【要約】【課題】  ミラーが駆動系等の振動の影響により振動して、そこに入射する光の反射光の結像位置が狙いの位置からずれてしまわないようにする。【解決手段】  ミラー１１の光を反射させる反射面１１ａに略直角な下側のミラー端面１１ｂを、その長手方向の略中央付近の領域ａ，ｂの２個所について、ミラー端面１１ｂの他の部分よりも面粗さを粗くする処理をした面１１ｃ，１１ｄとし、その面粗さを粗くした部分の面１１ｃ，１１ｄを支持部材１３，１４で下側から保持して支持する。それにより、ミラー１１の面１１ｃ，１１ｄと支持部材１３，１４との間には大きな摩擦力が生じるので、ミラー１１の振動が低減される。【選択図】      図１
2006251813.tif 000002
【特許請求の範囲】
【請求項１】
光源から射出された光を反射させるミラーを支持部材で支持する画像形成装置のミラー支持構造において、
前記ミラーの光を反射させる反射面に略直角なミラー端面を、少なくともその一部を面粗さを粗くする処理をした面とし、その面粗さを粗くした部分の面を前記支持部材で支持するようにしたことを特徴とする画像形成装置のミラー支持構造。
【請求項２】
前記ミラーを前記支持部材の方向に押し付けるミラー押し付け部材を設けたことを特徴とする請求項１記載の画像形成装置のミラー支持構造。
【請求項３】
前記ミラーの前記ミラー押し付け部材が接する部分に、面粗さを粗くする処理を施したことを特徴とする請求項２記載の画像形成装置のミラー支持構造。
【請求項４】
前記ミラー押し付け部材は弾性部材であることを特徴とする請求項２又は３記載の画像形成装置のミラー支持構造。
【請求項５】
前記ミラーは基材がガラスであることを特徴とする請求項１乃至４のいずれか一項に記載の画像形成装置のミラー支持構造。
【請求項６】
前記ミラーは、前記反射面に略直角なミラー端面が物理的除去加工されることにより面粗さを粗くした部分が形成されていることを特徴とする請求項５記載の画像形成装置のミラー支持構造。
【請求項７】
前記支持部材の前記ミラーに接触する部分の面粗さを粗くしたことを特徴とする請求項１乃至６のいずれか一項に記載の画像形成装置のミラー支持構造。
【請求項８】
前記支持部材は、前記ミラーの長手方向の中央付近に配設されていることを特徴とする請求項１乃至７のいずれか一項に記載の画像形成装置のミラー支持構造。
【請求項９】
光源から射出された光を反射させるミラーを支持部材で支持する画像形成装置のミラー支持構造において、
前記ミラーの前記支持部材と接する部分に、該支持部材との摩擦係数を大きくするための部材を取り付けるようにしたことを特徴とする画像形成装置のミラー支持構造。
【発明の詳細な説明】
【技術分野】
【０００１】
この発明は光源から射出された光を反射させるミラーを支持部材で支持する画像形成装置のミラー支持構造に関する。
【背景技術】
【０００２】
例えば、画像形成装置である複写機には、スキャナ部及び光により感光体に書き込みを行なう光書込部に、通常ミラーが設けられている。
また、レーザプリンタでも、例えば図１１に示すように、図示しない光源から射出された光をポリゴンミラー５１により偏向し、その光をミラー５２，５３により反射させて結像素子５４を通し、その光をミラー５５で反射させて感光体５６上に結像させ、その感光体５６上に光による書き込みを行なうようにした光書込部に、上述したようなミラー５２，５３，５５が設けられている。
【０００３】
このようなミラーは、例えば図１２及び図１３に示すような支持構造により支持されている。
すなわち、例えばミラー５３は、装置の固定部５０（図１３）に間隔を置いて立設された２個の反射面押え部材６６，６７のそれぞれ端面に反射面５３ａの両端部が接するようになっていて、そのミラー５３の反射面５３ａと反対側の裏面５３ｂの両端部が、２つの板バネ６８でそれぞれ反射面押え部材６６，６７側に押圧されている。そして、その板バネ６８は、ネジ６０により固定部５０に固定されている。
したがって、ミラー５３は、各板バネ６８の付勢力により反射面５３ａが反射面押え部材６６，６７のそれぞれ端面に押し当てられることにより、反射面５３ａの傾きが定められるようになっている。
【０００４】
ところが、この図１２及び図１３に示したようなミラーの支持構造では、その付近に設けられている画像形成装置の駆動系が動作したりすると、その駆動系から発生する振動がミラーに伝わって、そのミラーが振動しやすいということがあった。
このようにしてミラーが振動してしまうと、そのミラーの動きに伴って反射光の結像位置がずれてしまい、それによって狙いの位置からずれてしまうので、その結果出力される画像に濃度ムラ等が生じてしまい画像品質が低下してしまうということがあった。
【０００５】
そこで、ミラーの支持構造には、例えば特許文献１に記載されているように、ミラーの反射面に直角な方向にバネ材にて押圧力を加え、そのバネ材とミラーの接触面との間に生じる摩擦によりミラーの振動を規制するようにしたものが提案されている。
【特許文献１】特許第２８０６４０１号公報
【発明の開示】
【発明が解決しようとする課題】
【０００６】
しかしながら、この特許第２８０６４０１号公報に記載されているようなミラーの支持構造では、バネ材とミラーの接触面との摩擦係数が小さい場合にはミラーを保持するために必要な保持力は得られないという問題点があった。
例えば多くのミラーがそうであるように、ミラーの基材がガラスである場合には、特に昨今ではコスト競争の激化によりミラーの端面（反射面に直角な端面）を加工時の切りっぱなし状態にして、その切断面を後加工しないものが多くなってきている。そのため、このようなものでは後加工していないミラーの切断面とバネ材との摩擦係数は非常に小さいので、上述したようなミラーを保持する保持力が十分に得られない。
【０００７】
この発明は、上記の問題点に鑑みてなされたものであり、ミラーが設けられている周辺の駆動系等から振動が出ても、ミラーに入射する光の反射光が狙いの結像位置からずれるようなことがないように、ミラーを確実に支持固定することができる画像形成装置のミラー支持構造を提供することを目的とする。
【課題を解決するための手段】
【０００８】
この発明は上記の目的を達成するため、光源から射出された光を反射させるミラーを支持部材で支持する画像形成装置のミラー支持構造において、上記ミラーの光を反射させる反射面に略直角なミラー端面を、少なくともその一部を面粗さを粗くする処理をした面とし、その面粗さを粗くした部分の面を上記支持部材で支持するようにしたものである。
また、そのミラー支持構造には、上記ミラーを支持部材の方向に押し付けるミラー押し付け部材を設けるとよい。
そして、そのミラーのミラー押し付け部材が接する部分に、面粗さを粗くする処理を施すとよい。
【０００９】
上記ミラー押し付け部材は、弾性部材にすると効果的である。また、上記ミラーは、基材がガラスであるようにするとよい。その基材をガラスとしたミラーは、反射面に略直角なミラー端面が物理的除去加工されることにより面粗さを粗くした部分が形成されているようにするとよい。
【００１０】
さらに、上記各画像形成装置のミラー支持構造では、支持部材のミラーに接触する部分の面粗さを粗くするとよい。そして、その支持部材は、ミラーの長手方向の中央付近に配設すると効果的である。。
また、同様な画像形成装置のミラー支持構造において、ミラーの支持部材と接する部分に、その支持部材との摩擦係数を大きくするための部材を取り付けるようにしてもよい。
【発明の効果】
【００１１】
この発明による画像形成装置のミラー支持構造よれば、次に記載する効果を奏する。
請求項１，３，９の画像形成装置のミラー支持構造によれば、画像形成装置に用いられるミラーの振動を比較的簡単な構成で低減することができ、その結果として出力される画像の品質悪化を低減することができる。
【００１２】
請求項２，７，８の画像形成装置のミラー支持構造によれば、よりミラーの振動を低減することができ、さらに画像の品質悪化を低減することができる。
請求項４，５，６の画像形成装置のミラー支持構造によれば、安価で且つ簡単な構成でありながら、画像形成装置に用いられるミラーの振動を低減して画像の品質悪化を低減することができる。
【発明を実施するための最良の形態】
【００１３】
以下、この発明の実施の形態を図面に基づいて説明する。
図１はこの発明による画像形成装置のミラー支持構造の第１の実施形態例を説明するための斜視図、図２は同じくそのミラーを支持する部分を拡大して一部断面状態にして示す側面図である。
この画像形成装置のミラー支持構造は、画像形成装置の光書込部等に設けられている光源から射出された光を反射させるミラーを支持部材で支持するミラー支持構造である。
【００１４】
そのミラー支持構造は、図１に示すようにミラー１１の光を反射させる反射面１１ａに略直角な下側のミラー端面１１ｂを、その長手方向の略中央付近の領域ａ，ｂの２個所について、ミラー端面１１ｂの他の部分よりも面粗さを粗くする処理をした面１１ｃ，１１ｄとし、その面粗さを粗くした部分の面１１ｃ，１１ｄを支持部材１３，１４で下側から保持して支持するミラー支持構造である。
【００１５】
なお、面１１ｃと１１ｄは、それぞれその部分だけ面粗さを粗くしてもよいし、その面１１ｃから１１ｄまでの範囲を連続させて面粗さを粗くした面にしてもよい。また、ミラー端面１１ｂの全域全てを、面粗さを粗くした面にしてもよい。
【００１６】
ミラー１１は、基材がガラスで形成されていて、面１１ｃ，１１ｄの部分が、物理的除去加工である例えばサンドブラスト加工（砂を吹き付けて削る加工法）により、面粗さが粗くなるように加工されている。
そして、その面１１ｃ，１１ｄの部分が支持部材１３，１４上に載置された状態で、反射面１１ａの両端部が反射面押え部材１６，１７に接触している。そして、そのミラー１１の反射面１１ａと反対側の面１１ｅの長手方向の両端部に、一対の板バネ１８，１９が図２に明示するようにそれぞれ押し当てられている。
その板バネ１８と１９は同じ形状をしたものであり、それぞれ一端側に形成されているネジ孔に挿入されたネジ２０が装置の固定部１に螺着されることにより固定されている。
【００１７】
そして、その板バネ１８と１９は、その固定状態で付勢力がミラー１１の面１１ｅに作用して、ミラー１１を反射面押え部材１６，１７に押し付けている。
また、ミラー１１の下側のミラー端面１１ｂは、上述したように長手方向の略中央付近の領域ａ，ｂの２個所が、支持部材１３，１４上に載置されることにより支持されている。
【００１８】
そして、ミラー１１の上記領域ａ，ｂの面１１ｃ，１１ｄの部分は、上述したようにミラー１１を切りっぱなしにした切断面の面粗さよりも面粗さを粗くしており、その面１１ｃ，１１ｄの部分がミラー１１の自重による押圧力により支持部材１３，１４に押し当たっている。
【００１９】
したがって、そのミラー１１の面１１ｃ，１１ｄと支持部材１３，１４との間には、ミラー１１を切りっぱなしにした切断面を支持部材１３，１４に当接させる場合に比べて大きな摩擦力が生じるので、そのミラー１１の付近に設けられている駆動系から振動がミラー１１に伝わってきたとしても、そのミラー１１は振動が低減される。
そのため、ミラー１１に図示しない光源から射出されて反射面１１ａに入射する反射光の結像位置が狙いの位置からずれてしまうのを防止することができる。
【００２０】
また、この実施の形態によるミラー支持構造は、前述したようにミラー端面１１ｂの長手方向の略中央付近に形成した面粗さを粗くした部分の面１１ｃ，１１ｄを支持部材１３，１４で下側から支持しているので、低次の振動モードのときはミラー１１の長手方向の中央付近を腹とする振動が発生するが、そのミラー１１の中央付近を効率良く支持部材１３，１４が支持するため、高い振動低減効果が得られる。
【００２１】
図３はこの発明による画像形成装置のミラー支持構造の第２の実施形態例を説明するための斜視図、図４は図３のＢ−Ｂ線に沿う拡大断面図であり、図１に対応する部分には同一の符号を付してある。
この画像形成装置のミラー支持構造では、ミラー１１を支持部材１３，１４の方向に押し付ける支持部材であるミラー押し付け部材３７をミラー１１の長手方向の略中央付近に設けている。
【００２２】
そのミラー押し付け部材３７は、図４で矢示Ａ方向に付勢力を作用させるバネ材で形成されており、それが装置の固定部１にネジ２０により一端側が固定されている。そのミラー押し付け部材３７の他端側には、略半球状に下方に突出させた球状部３７ａが形成されていて、その球状部３７ａがミラー１１の上側の端面１１ｆに当接している。
【００２３】
このミラー支持構造によれば、ミラー押し付け部材３７が図４の矢示Ａ方向に作用させる付勢力によりミラー１１を支持部材１３と１４に強制的に押し付けるので、ミラー１１の面１１ｃ，１１ｄと支持部材１３，１４との間には、図１及び図２で説明したミラー支持構造のものよりも大きな摩擦力が働くので、さらに大きな振動低減が図れる。
【００２４】
また、この実施の形態によるミラー支持構造は、前述したようにミラー１１の長手方向の略中央付近の上側の端面１１ｆをミラー押し付け部材３７により下方へ押し付けているので、低次の振動モードではミラー１１の長手方向の中央付近を腹とする振動が発生するが、そのミラー１１の中央付近を効率良くミラー押し付け部材３７が押さえ付けるため、高い振動低減効果が得られる。
【００２５】
図５はこの発明による画像形成装置のミラー支持構造の第３の実施形態例を説明するための斜視図、図６は図５のＣ−Ｃ線に沿う拡大断面図であり、図３に対応する部分には同一の符号を付してある。
この画像形成装置のミラー支持構造では、ミラー１１の上側の端面１１ｆのミラー押し付け部材３７（支持部材の１つとして機能する）が接触する部分の面粗さを、ミラー１１を切りっぱなしにしたときの切断面の面粗さに対して粗くしている。
そして、この実施の形態では、支持部材１３，１４をミラー１１の両端部に対応させて配置し、その支持部材１３，１４上にミラー１１を載置している。
【００２６】
したがって、このミラー支持構造によれば、ミラー押し付け部材３７によって下方に押圧されるミラー１１の上側の端面１１ｆは面粗さを粗くしているので、そのミラー１１の端面１１ｆとミラー押し付け部材３７との間には大きな摩擦力が働くので、このようにしても大きな振動低減が図れる。
【００２７】
以上、この発明による画像形成装置のミラー支持構造の各実施の形態について説明したが、図１で説明したミラー支持構造において、ミラー１１の下側の面１１ｃ，１１ｄの面粗さを粗くする代わりに、その面１１ｃ，１１ｄの部分に、支持部材１３，１４との摩擦係数を大きくするためのシール部材（例えばゴム等）を取り付けるようにしても、図１のミラー支持構造と同様な効果が得られる。
【００２８】
また、図５で説明したミラー支持構造で、ミラー１１の上側の端面１１ｆの面粗さを粗くする代わりに、その端面１１ｆのミラー押し付け部材３７が接触する部分に、そのミラー押し付け部材３７との摩擦係数を大きくするためのシール部材（例えばゴム等）を取り付けるようにしても、図５のミラー支持構造と同様な効果が得られる。
【００２９】
さらにまた、上記各実施の形態では、ミラー１１が、重力方向にミラー反射面１１ａが位置する（平行する）姿勢に配設されている場合の例についてそれぞれ説明したが、この発明はそれ以外の向きにミラー１１が配設されるものであっても、同様に適用することができる。
【００３０】
次に、この発明による画像形成装置のミラー支持構造を実施した場合の効果を確認するために行なった実験結果について説明する。
その実験には、図７乃至図９に示すような装置を使用した。以下、その装置について説明する。
【００３１】
なお、この実験に使用した装置と図１で説明したミラー支持構造との対応関係を明らかにするため、図７乃至図９では図１で説明した各部と若干形状が異なるものであっても、それが同一の機能を果たすものであれば便宜上同一の符号を付して説明する。
【００３２】
基材がガラスでできているミラー１１を、図８に示すように固定部となる光学箱５に形成された所定の収納位置に図示のように挿入し、そのミラー１１の両端部を板バネ１８，１９により矢示Ｅ方向に押圧付勢し、ミラー１１の両端部を図７に示す左右の支持部材１６，１７に押し当てることにより、反射面１１ａの傾きを定める。
【００３３】
さらに、図９に示すようにミラー１１の長手方向の略中央付近に間隔を置いてゴムクッション２１，２２を設け、そのゴムクッション２１，２２をミラー１１の長手方向の略中央付近に間隔を置いて配設している支持部材１３，１４にそれぞれ接触させ、ミラー１１の一方の端面１１ｆをミラー押し付け部材３７で押圧することにより、他方のミラー端面１１ｂをゴムクッション２１，２２を介して支持部材１３，１４に押し付けている。
【００３４】
このようにして、光学箱５に組み付けられるミラー１１は、この実験ではそのミラー１１の端面を切断状態のままで面粗さを粗くする処理をしなかったもの（面粗さが細かいため摩擦係数が小さい）と、端面をサンドブラスト処理することによりスリ面にして面粗さを粗くしたものとの２種類を用意する。
【００３５】
そして、実験の方法は、図１０（主要な部分のみ図示している）に示すように、ミラー１１の反射面１１ａの長手方向の中央付近をフォースゲージ１０で反射面１１ａに対して略直角に押圧し、その押圧力を徐々に大きくしていったときにミラー１１と支持部材１６，１７との間に隙間ができる瞬間にフォースゲージ１０が示す値を読み取る。
実験結果は、ミラー１１の端面を切断状態のままにしたものは、フォースゲージ１０の値が７００〜８００ｇｆで、ミラー１１と支持部材１６，１７との間に隙間ができた。
【００３６】
一方、ミラー１１の端面をスリ面にして面粗さを粗くしたものでは、フォースゲージ１０の値が１４００〜１５００ｇｆで、ミラー１１と支持部材１６，１７との間に隙間ができた。
これらの差は、ミラー１１に働く摩擦力の差を示しているものであり、ミラー１１の端面をスリ面にすることによる効果の大きさを示している。
【産業上の利用可能性】
【００３７】
この発明は、複写機等の画像形成装置のスキャナ部及び光により感光対体に書き込みを行なう光書込部におけるミラー支持構造に利用される。
【図面の簡単な説明】
【００３８】
【図１】この発明による画像形成装置のミラー支持構造の第１の実施形態例を説明するための斜視図である。
【図２】同じくそのミラーを支持する部分を拡大して一部断面状態にして示す側面図である。
【図３】この発明による画像形成装置のミラー支持構造の第２の実施形態例を説明するための斜視図である。
【図４】図３のＢ−Ｂ線に沿う拡大断面図である。
【図５】この発明による画像形成装置のミラー支持構造の第３の実施形態例を説明するための斜視図である。
【図６】図５のＣ−Ｃ線に沿う拡大断面図である。
【００３９】
【図７】効果を確認するために行なった実験に使用した装置を示す斜視図である。
【図８】同じくその装置でミラーの長手方向の両端部を支持する部分の構成を示す縦断面図である。
【図９】同じくその装置でミラーの長手方向の中央部付近を支持する部分の構成を示す縦断面図である。
【図１０】同じくその装置を使用した実験方法を説明するための斜視図である。
【図１１】従来のレーザプリンタの光書込系を示す概略図である。
【図１２】従来の光書込系に設けられているミラーを支持する支持構造の一例を示す斜視図である。
【図１３】同じくそのミラーを支持する支持構造のミラーを支持する部分を拡大して一部断面状態にして示す側面図である。
【符号の説明】
【００４０】
１１：ミラー            １１ａ：反射面
１１ｂ：ミラー端面      １１ｃ，１１ｄ，１１ｅ：面
１１ｆ：端面            １３，１４：支持部材
３７：ミラー押し付け部材
【図１】
2006251813.tif 000003
【図２】
2006251813.tif 000004
【図３】
2006251813.tif 000005
【図４】
2006251813.tif 000006
【図５】
2006251813.tif 000007
【図６】
2006251813.tif 000008
【図７】
2006251813.tif 000009
【図８】
2006251813.tif 000010
【図９】
2006251813.tif 000011
【図１０】
2006251813.tif 000012
【図１１】
2006251813.tif 000013
【図１２】
2006251813.tif 000014
【図１３】
2006251813.tif 000015
【手続補正書】
【提出日】平成18年4月19日(2006.4.19)
【手続補正１】
【補正対象書類名】特許請求の範囲
【補正対象項目名】全文
【補正方法】変更
【補正の内容】
【特許請求の範囲】
【請求項１】
光源から射出された光を反射させる長手方向に延びる形状のミラーと、
該ミラーを長手方向に離れた位置で押える複数の押え部材と、
前記押え部材とは異なる位置に設けられ、前記ミラーの反射面に略垂直な面を押し付けるミラー押し付け部材とを備え、
該ミラー押し付け部材の前記ミラーと接する箇所は、球形状に構成されていることを特徴とする光学部材。
【請求項２】
前記押え部材は、前記ミラーの長手方向に少なくとも２箇所設けられ、かつ前記ミラーの反射面に垂直な方向に押えていることを特徴とする請求項１記載の光学部材。
【請求項３】
前記押え部材が、前記ミラーの長手方向の両端部に設けられていることを特徴とする請求項１又は２記載の光学部材。
【請求項４】
前記ミラーの前記ミラー押し付け部材が当接する部分は、面粗さが粗であることを特徴とする請求項１から３のいずれか一項に記載の光学部材。
【請求項５】
前記ミラー押し付け部材は弾性部材であることを特徴とする請求項１から４のいずれか一項に記載の光学部材。
【請求項６】
請求項１から５のいずれか一に記載の光学部材を備えることを特徴とする画像形成装置。
【手続補正２】
【補正対象書類名】明細書
【補正対象項目名】全文
【補正方法】変更
【補正の内容】
【発明の詳細な説明】
【技術分野】
【０００１】
この発明は光源から射出された光を反射させるミラーを備えた光学部材及びこの光学部材を備えた画像形成装置に関する。
【背景技術】
【０００２】
例えば、画像形成装置である複写機には、スキャナ部及び光により感光体に書き込みを行なう光書込部に、通常ミラーが設けられている。
また、レーザプリンタでも、例えば図１１に示すように、図示しない光源から射出された光をポリゴンミラー５１により偏向し、その光をミラー５２，５３により反射させて結像素子５４を通し、その光をミラー５５で反射させて感光体５６上に結像させ、その感光体５６上に光による書き込みを行なうようにした光書込部に、上述したようなミラー５２，５３，５５が設けられている。
【０００３】
このようなミラーは、例えば図１２及び図１３に示すような支持構造により支持されている。
すなわち、例えばミラー５３は、装置の固定部５０（図１３）に間隔を置いて立設された２個の反射面押え部材６６，６７のそれぞれ端面に反射面５３ａの両端部が接するようになっていて、そのミラー５３の反射面５３ａと反対側の裏面５３ｂの両端部が、２つの板バネ６８でそれぞれ反射面押え部材６６，６７側に押圧されている。そして、その板バネ６８は、ネジ６０により固定部５０に固定されている。
したがって、ミラー５３は、各板バネ６８の付勢力により反射面５３ａが反射面押え部材６６，６７のそれぞれ端面に押し当てられることにより、反射面５３ａの傾きが定められるようになっている。
【０００４】
ところが、この図１２及び図１３に示したようなミラーの支持構造では、その付近に設けられている画像形成装置の駆動系が動作したりすると、その駆動系から発生する振動がミラーに伝わって、そのミラーが振動しやすいということがあった。
このようにしてミラーが振動してしまうと、そのミラーの動きに伴って反射光の結像位置がずれてしまい、それによって狙いの位置からずれてしまうので、その結果出力される画像に濃度ムラ等が生じてしまい画像品質が低下してしまうということがあった。
【０００５】
そこで、ミラーの支持構造には、例えば特許文献１に記載されているように、ミラーの反射面に直角な方向にバネ材にて押圧力を加え、そのバネ材とミラーの接触面との間に生じる摩擦によりミラーの振動を規制するようにしたものが提案されている。
【特許文献１】特許第２８０６４０１号公報
【発明の開示】
【発明が解決しようとする課題】
【０００６】
しかしながら、この特許文献１に記載されているようなミラーの支持構造では、バネ材とミラーの接触面との摩擦係数が小さい場合にはミラーを保持するために必要な保持力は得られないという問題点があった。
例えば多くのミラーがそうであるように、ミラーの基材がガラスである場合には、特に昨今ではコスト競争の激化によりミラーの端面（反射面に直角な端面）を加工時の切りっぱなし状態にして、その切断面を後加工しないものが多くなってきている。そのため、このようなものでは後加工していないミラーの切断面とバネ材との摩擦係数は非常に小さいので、上述したようなミラーを保持する保持力が十分に得られない。
【０００７】
この発明は、上記の問題点に鑑みてなされたものであり、ミラーが設けられている周辺の駆動系等から振動が出ても、ミラーに入射する光の反射光が狙いの結像位置からずれるようなことがないように、ミラーを確実に支持固定することができる画像形成装置の光学部材を提供することを目的とする。
【課題を解決するための手段】
【０００８】
この発明による画像形成装置の光学部材は上記の目的を達成するため、光源から射出された光を反射させる長手方向に延びる形状のミラーと、そのミラーを長手方向に離れた位置で押える複数の押え部材と、上記ミラーの長手方向における上記押え部材とは異なる位置に設けられ、上記ミラーの反射面に略垂直な面を押し付けるミラー押し付け部材とを備え、そのミラー押し付け部材の上記ミラーと接する箇所は、球形状に構成されている。
【０００９】
上記押え部材が、上記ミラーの長手方向に少なくとも２箇所設けられ、かつ上記ミラーの反射面に垂直な方向に押えているとよい。
また、上記押え部材が、上記ミラーの長手方向の両端部に設けられているとよい。
【００１０】
さらに、上記ミラーの上記ミラー押し付け部材が当接する部分は、面粗さが粗であるのが望ましい。
また、上記ミラー押し付け部材は弾性部材であるとよい。
【発明の効果】
【００１１】
この発明による光学部材によれば、ミラーの振動を比較的簡単な構成で低減することができる。
また、この発明による光学部材を備えた画像形成装置によれば、画像形成装置に用いられるミラーの振動を比較的簡単な構成で低減することができ、その結果として出力される画像の品質悪化を低減することができる。
【００１２】
請求項２〜５の光学部材によれば、よりミラーの振動を低減することができる。また請求項６の画像形成装置によれば、よりミラーの振動を低減することができ、さらに画像の品質悪化を低減することができる。
【発明を実施するための最良の形態】
【００１３】
以下、この発明の実施の形態を図面に基づいて説明する。
図１はこの発明による光学部材の基礎となる技術を説明するための斜視図、図２は同じくこのミラーを支持する部分を拡大して一部断面状態にして示す側面図である。
この光学部材を画像形成装置に用いる場合について説明する。画像形成装置の光学部材は、画像形成装置の光書込部等に設けられている光源から射出された光を反射させる長手方向に延びる形状のミラーを備えている。
【００１４】
この光学部材は、図１に示すようにミラー１１の光を反射させる反射面１１ａに略直角な下側のミラー端面１１ｂを、その長手方向の略中央付近の領域ａ，ｂの２個所について、ミラー端面１１ｂの他の部分よりも面粗さを粗くする処理をした面１１ｃ，１１ｄとし、その面粗さを粗くした部分の面１１ｃ，１１ｄを支持部材１３，１４で下側から保持して支持している。
【００１５】
なお、面１１ｃと１１ｄは、それぞれその部分だけ面粗さを粗くしてもよいし、その面１１ｃから１１ｄまでの範囲を連続させて面粗さを粗くした面にしてもよい。また、ミラー端面１１ｂの全域全てを、面粗さを粗くした面にしてもよい。
【００１６】
ミラー１１は、基材がガラスで形成されていて、面１１ｃ，１１ｄの部分が、物理的除去加工である例えばサンドブラスト加工（砂を吹き付けて削る加工法）により、面粗さが粗くなるように加工されている。
そして、その面１１ｃ，１１ｄの部分が支持部材１３，１４上に載置された状態で、反射面１１ａの両端部が押え部材である反射面押え部材１６，１７に接触している。そして、そのミラー１１の反射面１１ａと反対側の面１１ｅの長手方向の両端部に、一対の板バネ１８，１９が図２に明示するようにそれぞれ押し当てられている。
その板バネ１８と１９は同じ形状をしたものであり、それぞれ一端側に形成されているネジ孔に挿入されたネジ２０が装置の固定部１に螺着されることにより固定されている。
【００１７】
そして、その板バネ１８と１９は、その固定状態で付勢力がミラー１１の面１１ｅに作用して、ミラー１１を反射面押え部材１６，１７に押し付けている。
また、ミラー１１の下側のミラー端面１１ｂは、上述したように長手方向の略中央付近の領域ａ，ｂの２個所が、支持部材１３，１４上に載置されることにより支持されている。
【００１８】
そして、ミラー１１の上記領域ａ，ｂの面１１ｃ，１１ｄの部分は、上述したようにミラー１１を切りっぱなしにした切断面の面粗さよりも面粗さを粗くしており、その面１１ｃ，１１ｄの部分がミラー１１の自重による押圧力により支持部材１３，１４に押し当たっている。
【００１９】
したがって、そのミラー１１の面１１ｃ，１１ｄと支持部材１３，１４との間には、ミラー１１を切りっぱなしにした切断面を支持部材１３，１４に当接させる場合に比べて大きな摩擦力が生じるので、そのミラー１１の付近に設けられている駆動系から振動がミラー１１に伝わってきたとしても、そのミラー１１は振動が低減される。
そのため、ミラー１１に図示しない光源から射出されて反射面１１ａに入射する反射光の結像位置が狙いの位置からずれてしまうのを防止することができる。
【００２０】
また、この光学部材は、前述したようにミラー端面１１ｂの長手方向の略中央付近に形成した面粗さを粗くした部分の面１１ｃ，１１ｄを支持部材１３，１４で下側から支持しているので、低次の振動モードのときはミラー１１の長手方向の中央付近を腹とする振動が発生するが、そのミラー１１の中央付近を効率良く支持部材１３，１４が支持するため、高い振動低減効果が得られる。
【００２１】
図３はこの発明による画像形成装置の光学部材の第１の実施形態を説明するための斜視図、図４は図３のＢ−Ｂ線に沿う拡大断面図であり、図１に対応する部分には同一の符号を付してある。
この画像形成装置の光学部材では、ミラー１１を支持部材１３，１４の方向に押し付ける支持部材であるミラー押し付け部材３７をミラー１１の長手方向の略中央付近に設けている。
【００２２】
そのミラー押し付け部材３７は、図４で矢示Ａ方向に付勢力を作用させるバネ材で形成されており、それが装置の固定部１にネジ２０により一端側が固定されている。そのミラー押し付け部材３７の他端側には、略半球状に下方に突出させた球状部３７ａが形成されていて、その球状部３７ａがミラー１１の上側の端面１１ｆに当接している。
【００２３】
この光学部材によれば、ミラー押し付け部材３７が図４の矢示Ａ方向に作用させる付勢力によりミラー１１を支持部材１３と１４に強制的に押し付けるので、ミラー１１の面１１ｃ，１１ｄと支持部材１３，１４との間には、図１及び図２で説明したミラー支持構造のものよりも大きな摩擦力が働くので、さらに大きな振動低減が図れる。
【００２４】
また、この実施の形態による光学部材は、前述したようにミラー１１の長手方向の略中央付近の上側の端面１１ｆをミラー押し付け部材３７により下方へ押し付けているので、低次の振動モードではミラー１１の長手方向の中央付近を腹とする振動が発生するが、そのミラー１１の中央付近を効率良くミラー押し付け部材３７が押さえ付けるため、高い振動低減効果が得られる。
【００２５】
図５はこの発明による画像形成装置の光学部材の第２の実施形態を説明するための斜視図、図６は図５のＣ−Ｃ線に沿う拡大断面図であり、図３に対応する部分には同一の符号を付してある。
この画像形成装置の光学部材では、ミラー１１の上側の端面１１ｆのミラー押し付け部材３７（支持部材の１つとして機能する）が接触する部分の面粗さを、ミラー１１を切りっぱなしにしたときの切断面の面粗さに対して粗くしている。
そして、この実施の形態では、支持部材１３，１４をミラー１１の両端部に対応させて配置し、その支持部材１３，１４上にミラー１１を載置している。
【００２６】
したがって、この光学部材によれば、ミラー押し付け部材３７によって下方に押圧されるミラー１１の上側の端面１１ｆは面粗さを粗くしているので、そのミラー１１の端面１１ｆとミラー押し付け部材３７との間には大きな摩擦力が働くので、このようにしても大きな振動低減が図れる。
【００２７】
以上、この発明による画像形成装置の光学部材の各実施の形態について説明したが、図１でこの発明の基礎となる技術として説明した光学部材において、ミラー１１の下側の面１１ｃ，１１ｄの面粗さを粗くする代わりに、その面１１ｃ，１１ｄの部分に、支持部材１３，１４との摩擦係数を大きくするためのシール部材（例えばゴム等）を取り付けるようにしても、図１の光学部材と同様な効果が得られる。
【００２８】
また、図５で説明した光学部材で、ミラー１１の上側の端面１１ｆの面粗さを粗くする代わりに、その端面１１ｆのミラー押し付け部材３７が接触する部分に、そのミラー押し付け部材３７との摩擦係数を大きくするためのシール部材（例えばゴム等）を取り付けるようにしても、図５の光学部材と同様な効果が得られる。
【００２９】
さらにまた、上記各実施の形態では、ミラー１１が、重力方向にミラー反射面１１ａが位置する（平行する）姿勢に配設されている場合の例についてそれぞれ説明したが、この発明はそれ以外の向きにミラー１１が配設されるものであっても、同様に適用することができる。
【００３０】
次に、この発明による画像形成装置の光学部材を実施した場合の効果を確認するために行なった実験結果について説明する。
その実験には、図７乃至図９に示すような装置を使用した。以下、その装置について説明する。
【００３１】
なお、この実験に使用した装置と図１で説明したミラー支持構造との対応関係を明らかにするため、図７乃至図９では図３〜図６で説明した各部と若干形状が異なるものであっても、それが同一の機能を果たすものであれば便宜上同一の符号を付して説明する。
【００３２】
基材がガラスでできているミラー１１を、図８に示すように固定部となる光学箱５に形成された所定の収納位置に図示のように挿入し、そのミラー１１の両端部を板バネ１８，１９により矢示Ｅ方向に押圧付勢し、ミラー１１の両端部を図７に示す左右の支持部材１６，１７に押し当てることにより、反射面１１ａの傾きを定める。
【００３３】
さらに、図９に示すようにミラー１１の長手方向の略中央付近に間隔を置いてゴムクッション２１，２２を設け、そのゴムクッション２１，２２をミラー１１の長手方向の略中央付近に間隔を置いて配設している支持部材１３，１４にそれぞれ接触させ、ミラー１１の一方の端面１１ｆをミラー押し付け部材３７で押圧することにより、他方のミラー端面１１ｂをゴムクッション２１，２２を介して支持部材１３，１４に押し付けている。
【００３４】
このようにして、光学箱５に組み付けられるミラー１１は、この実験ではそのミラー１１の端面を切断状態のままで面粗さを粗くする処理をしなかったもの（面粗さが細かいため摩擦係数が小さい）と、端面をサンドブラスト処理することによりスリ面にして面粗さを粗くしたものとの２種類を用意する。
【００３５】
そして、実験の方法は、図１０（主要な部分のみ図示している）に示すように、ミラー１１の反射面１１ａの長手方向の中央付近をフォースゲージ１０で反射面１１ａに対して略直角に押圧し、その押圧力を徐々に大きくしていったときにミラー１１と支持部材１６，１７との間に隙間ができる瞬間にフォースゲージ１０が示す値を読み取る。
実験結果は、ミラー１１の端面を切断状態のままにしたものは、フォースゲージ１０の値が７００〜８００ｇｆで、ミラー１１と支持部材１６，１７との間に隙間ができた。
【００３６】
一方、ミラー１１の端面をスリ面にして面粗さを粗くしたものでは、フォースゲージ１０の値が１４００〜１５００ｇｆで、ミラー１１と支持部材１６，１７との間に隙間ができた。
これらの差は、ミラー１１に働く摩擦力の差を示しているものであり、ミラー１１の端面をスリ面にすることによる効果の大きさを示している。
【産業上の利用可能性】
【００３７】
この発明は、複写機等の画像形成装置のスキャナ部及び光により感光対体に書き込みを行なう光書込部における光学部材に利用される。
【図面の簡単な説明】
【００３８】
【図１】この発明による画像形成装置の光学部材の基礎となる技術を説明するための斜視図である。
【図２】同じくそのミラーを支持する部分を拡大して一部断面状態にして示す側面図である。
【図３】この発明による画像形成装置の光学部材の第１の実施形態を説明するための斜視図である。
【図４】図３のＢ−Ｂ線に沿う拡大断面図である。
【図５】この発明による画像形成装置の光学部材の第２の実施形態を説明するための斜視図である。
【図６】図５のＣ−Ｃ線に沿う拡大断面図である。
【図７】効果を確認するために行なった実験に使用した装置を示す斜視図である。
【図８】同じくその装置でミラーの長手方向の両端部を支持する部分の構成を示す縦断面図である。
【図９】同じくその装置でミラーの長手方向の中央部付近を支持する部分の構成を示す縦断面図である。
【図１０】同じくその装置を使用した実験方法を説明するための斜視図である。
【図１１】従来のレーザプリンタの光書込系を示す概略図である。
【図１２】従来の光書込系に設けられている光学部材の一例を示す斜視図である。
【図１３】同じくその光学部材のミラーを支持する部分を拡大して一部断面状態にして示す側面図である。
【符号の説明】
【００３９】
１１：ミラー            １１ａ：反射面
１１ｂ：ミラー端面      １１ｃ，１１ｄ，１１ｅ：面
１１ｆ：端面            １３，１４：支持部材
１６，１７：反射面押え部材（押え部材）
３７：ミラー押し付け部材      ３７ａ：球状部